【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
通信システムにおいて移動加入者端末機によってチャンネル品質を報告する方法であって、
移動加入者端末機が前記活性基地局および複数の隣接基地局のチャンネル品質を測定するために必要なチャンネル品質測定情報、および、前記移動加入者端末機が前記活性基地局および複数の隣接基地局のチャンネル品質を報告するために必要な報告モードを決定するチャンネル品質報告情報を、活性基地局から、受信するステップと、
前記チャンネル品質測定情報を使用して、前記活性基地局および前記複数の隣接基地局のチャンネル品質を測定するステップと、
前記チャンネル品質報告情報を使用して、前記活性基地局および前記複数の隣接基地局の測定されたチャンネル品質を、前記活性基地局へ、報告するステップと、を含み、
報告モードは複数の報告モードの一つであり、前記複数の報告モードは第一の報告モードと第二の報告モードを含み、
前記第一の報告モードと前記第二の報告モードは、前記活性基地局および前記複数の隣接基地局の測定されたチャンネル品質が報告されたチャンネル品質報告時点に関する情報を含み、
前記第一の報告モードの前記チャンネル品質報告時点は期間であり、前記第二の報告モードの前記チャンネル品質報告時点はトリガー条件が一致する特定の時間を定義し、前記トリガー条件はチャンネル品質測定ステップにおいて測定される前記チャンネル品質の値の順序が前記活性基地局および前記複数の隣接基地局の以前に測定されたチャンネル品質の値の順序とが異なるという条件であり、前記トリガー条件は少なくとも第一の条件と第二の条件の何れかを含み、
前記第一の条件は、前記活性基地局のチャンネル品質よりも少なくとも一つの隣接基地局のチャンネル品質が良いことであり、前記第二の条件は前記活性基地局のチャンネル品質よりも少なくとも一つの隣接基地局のチャンネル品質が悪いことを特徴とする方法。
【請求項２】
前記チャンネル品質測定情報は、チャンネル品質測定動作を開始する測定開始時間と、  前記チャンネル品質測定動作を遂行する間の前記チャンネル品質測定動作を実行する測定周期とを含むことを特徴とする請求項１記載の方法。
【請求項３】
前記チャンネル品質測定情報の変更要求を検出し、変更されるべき新しいチャンネル品質測定情報を含む前記チャンネル品質測定情報の変更要求を前記活性基地局へ送信するステップを、さらに含むことを特徴とする請求項１に記載の方法。
【請求項４】
前記チャンネル品質測定情報を使用して、前記活性基地局および前記複数の隣接基地局のチャンネル品質を測定するステップは、前記チャンネル品質測定情報を使用して前記活性基地局および前記複数の隣接基地局の参照チャンネル信号のＳＩＮＲ（信号対干渉雑音比）を測定するステップを含むことを特徴とする請求項１に記載の方法。
【請求項５】
通信システムにおいてチャンネル品質を報告する方法であって、
活性基地局から移動加入者端末機へ、前記活性基地局および複数の隣接基地局のチャンネル品質を測定するために必要なチャンネル品質測定情報、および、前記移動加入者端末機が前記活性基地局および複数の隣接基地局のチャンネル品質を報告するために必要な報告モードを決定するチャンネル品質報告情報を、送信するステップと、
前記チャンネル品質測定情報が、前記活性基地局から前記移動加入者端末機によって受信され、前記チャンネル品質報告情報が、前記活性基地局から前記移動加入者端末機によって受信されるステップと、
前記チャンネル品質測定情報を使用して、前記活性基地局および前記複数の隣接基地局のチャンネル品質を前記移動加入者端末機が測定するステップと、
前記チャンネル品質報告情報を使用して、前記活性基地局および前記複数の隣接基地局の測定されたチャンネル品質を前記移動加入者端末機が前記活性基地局へ報告するステップと、を含み、
報告モードは複数の報告モードの一つであり、前記複数の報告モードは第一の報告モードと第二の報告モードを含み、
前記第一の報告モードと前記第二の報告モードは、前記活性基地局および前記複数の隣接基地局の測定されたチャンネル品質が報告されたチャンネル品質報告時点に関する情報を含み、
前記第一の報告モードの前記チャンネル品質報告時点は期間であり、前記第二の報告モードの前記チャンネル品質報告時点はトリガー条件が一致する特定の時間を定義し、前記トリガー条件はチャンネル品質測定ステップにおいて前記移動加入者端末機によって測定される前記チャンネル品質の値の順序が前記活性基地局および前記複数の隣接基地局の以前に測定されたチャンネル品質の値の順序とが異なるという条件であり、前記トリガー条件は少なくとも第一の条件と第二の条件の何れかを含み、
前記第一の条件は、前記活性基地局のチャンネル品質よりも少なくとも一つの隣接基地局のチャンネル品質が良いことであり、前記第二の条件は前記活性基地局のチャンネル品質よりも少なくとも一つの隣接基地局のチャンネル品質が悪いことを特徴とする方法。
【請求項６】
前記チャンネル品質測定情報は、チャンネル品質測定動作を開始する測定開始時間と、前記チャンネル品質測定動作を遂行する間の前記チャンネル品質測定動作を実行する測定周期とを含むことを特徴とする請求項５に記載の方法。
【請求項７】
前記移動加入者端末機が前記チャンネル品質測定情報の変更要求を検出し、変更されるべき新しいチャンネル品質測定情報を含む前記チャンネル品質測定情報の変更要求を前記移動加入者端末機が前記活性基地局へ送信するステップを、さらに含むことを特徴とする請求項５に記載の方法。
【請求項８】
前記チャンネル品質測定情報を使用して、前記移動加入者端末機が前記活性基地局および前記複数の隣接基地局のチャンネル品質を測定するステップは、前記チャンネル品質測定情報を使用して前記活性基地局および前記複数の隣接基地局の参照チャンネル信号のＳＩＮＲ（信号対干渉雑音比）を前記移動加入者端末機が測定するステップを含むことを特徴とする請求項５に記載の方法。
【請求項９】
移動加入者端末機が活性基地局および複数の隣接基地局のチャンネル品質を測定する方法であって、
前記移動加入者端末機が、前記移動加入者端末機を含む通信システムにおける前記活性基地局および前記複数の隣接基地局によってカバーされる領域に位置し、前記活性基地局は前記移動加入者端末機に所望のサービスを提供し、前記複数の隣接基地局は前記活性基地局に隣接する場合において、
前記隣接基地局のチャンネル品質を前記移動加入者端末機が測定するために必要なチャンネル品質測定情報および前記複数の隣接基地局に関連した隣接基地局関連情報を、前記活性基地局から受信するステップと、
前記隣接基地局関連情報に関連した前記隣接基地局の前記チャンネル品質測定情報に従って少なくとも一つのチャンネル品質を測定するステップと、
前記移動加入者端末機が前記チャンネル品質測定情報を他の情報へ変更することを決定すると、変更されるべきチャンネルの品質測定情報を含む前記チャンネル品質測定情報の変更要求を前記活性基地局へ送信するステップと、
前記活性基地局から変更されたチャネルの品質測定情報を受信するステップ、とを含むことを特徴とする方法。 
【請求項１０】
前記チャンネル品質測定情報は、チャンネル品質測定動作を開始する測定開始時間と、
前記チャンネル品質測定動作を遂行する間の前記チャンネル品質測定動作を実行する測定周期とを含むことを特徴とする請求項９に記載の方法。
【請求項１１】
前記チャンネル品質測定情報の前記変更要求は新しい測定周期を含むことを特徴とする請求項９に記載の方法。
【請求項１２】
通信システムにおける基地局がチャンネル品質を受信する方法であって、
移動加入者端末機が前記基地局及び複数の隣接基地局のチャンネル品質を測定するために必要なチャンネル品質測定情報と、前記移動加入者端末機が前記基地局及び複数の隣接基地局のチャンネル品質を報告するために必要な報告モードを定義するチャンネル品質報告情報を、移動加入者端末機へ送信するステップと、
前記移動加入者端末機から前記基地局及び複数の隣接基地局の測定されたチャンネル品質を受信するステップと、を含み、
前記基地局及び複数の隣接基地局の測定されたチャンネル品質は、前記移動加入者端末機が前記チャンネル品質測定情報を使用して前記基地局及び複数の隣接基地局のチャンネル品質を測定することによって生成され、
前記報告モードは複数の報告モードの一つであり、前記複数の報告モードは第一の報告モードと第二の報告モードを含み、
前記第一の報告モードと第二の報告モードは、前記基地局及び複数の隣接基地局の測定されたチャンネル品質を報告するチャンネル品質報告時点に対する情報を含み、
前記第一の報告モードのチャンネル品質報告時点は周期であり、前記第二の報告モードのチャンネル品質報告時点はトリガー条件を満足する時間であり、前記トリガー条件は前記移動加入者端末機が以前に測定した基地局及び複数の隣接基地局のチャンネル品質の値の順序と現在測定した基地局及び複数の隣接基地局のチャンネル品質の値の順序とが異なるという条件であり、前記トリガー条件は第一の条件と第二の条件のうちの少なくとも一つを含み、
前記第一の条件は、前記基地局のチャンネル品質よりも少なくとも一つの隣接基地局のチャンネル品質が良いことであり、前記第二の条件は前記基地局のチャンネル品質よりも少なくとも一つの隣接基地局のチャンネル品質が悪いことを特徴とする方法。
【請求項１３】
前記チャンネル品質測定情報は、チャンネル品質測定動作が開始される測定開始時間と前記チャンネル品質測定動作が遂行される測定周期とを含むことを特徴とする請求項１２に記載の方法。
【請求項１４】
前記移動加入者端末機から変更されるべき、新しいチャンネル品質測定情報を含むチャンネル品質測定情報の変更要求を受信するステップをさらに含むことを特徴とする請求項１２記載の方法。
【請求項１５】
前記基地局及び複数の隣接基地局の測定されたチャンネル品質は、基準信号の信号対干渉雑音比であることを特徴とする請求項１２記載の方法。
【請求項１６】
通信システムにおける基地局がチャンネル品質測定情報を送信する方法であって、
移動加入者端末機が複数の隣接基地局のチャンネル品質を測定するために必要なチャンネル品質測定情報と前記複数の隣接基地局と関連された隣接基地局関連情報を、移動加入者端末機へ送信するステップと、
前記移動加入者端末機から変更されるチャンネル品質測定情報を含むチャンネル品質測定情報の変更要求を受信するステップと、
変更されたチャンネル品質測定情報を前記移動加入者端末機へ送信するステップと、を含むことを特徴とする方法。
【請求項１７】
前記チャンネル品質測定情報は、チャンネル品質測定動作が開始される測定開始時間と、前記チャンネル品質測定動作が遂行される測定周期とを含むことを特徴とする請求項１６に記載の方法。
【請求項１８】
前記チャンネル品質測定情報の変更要求は新しい測定周期を含むことを特徴とする請求項１６に記載の方法。